(57)【特許請求の範囲】
【請求項１】
表面に装飾層が形成された物品であって、
装飾層は、第一のインクからなる第一の印刷層と、該第一の印刷層の上に積層された第二のインクからなる第二の印刷層とを備え、
第一のインクはブロックイソシアネートを含んでおり、第二のインクはＵＶインクであり、
第一の印刷層と第二の印刷層との境界部分において、第一のインクのブロックイソシアネートと第二のインクのＵＶ硬化樹脂とがラジカル反応した共有結合が形成されており、
第二の印刷層の形成領域は、第一の印刷層の形成領域よりも小さい、ことを特徴とする装飾層を有する物品。
【請求項２】
装飾層は、アンダーコート層を備え、該アンダーコート層の上に第一の印刷層が積層され、第一の印刷層の形成領域は、アンダーコート層の形成領域よりも小さい、請求項１記載の装飾層を有する物品。
【請求項３】
装飾層の全体を覆うトップコート層を備えている、請求項１又は２記載の装飾層を有する物品。
【発明の詳細な説明】
【技術分野】
【０００１】
本発明は、表面に装飾層が形成された物品に関する。
【背景技術】
【０００２】
例えば、釣竿の表面には各種の模様が装飾層として形成される。特に、ＵＶインクによって模様を形成すると立体感のある模様が得られるため、高級感が出る。しかしながら、ＵＶインクは剥離しやすいという問題がある。
【先行技術文献】
【特許文献】
【０００３】
【特許文献１】特開２０１５−４７１０３号公報
【発明の概要】
【発明が解決しようとする課題】
【０００４】
それゆえに本発明は上記従来の問題点に鑑みてなされ、ＵＶインクを用いた層の剥離を防止することを課題とする。
【課題を解決するための手段】
【０００５】
本発明は上記課題を解決すべくなされたものであって、本発明に係る装飾層を有する物品は、表面に装飾層が形成された物品であって、装飾層は、第一のインクからなる第一の印刷層と、該第一の印刷層の上に積層された第二のインクからなる第二の印刷層とを備え、第一のインクはブロックイソシアネートを含んでおり、第二のインクはＵＶインクであることを特徴とする。
【０００６】
該構成の装飾層を有する物品にあっては、第一の印刷層の上に第二の印刷層が積層されている。第二の印刷層を構成している第二のインクはＵＶインクであってそのＵＶインクは紫外線を照射することによりラジカルを発生して硬化する。その際、第一の印刷層と第二の印刷層との境界部分（界面）においては、第一のインクのブロックイソシアネートがラジカル反応する。即ち、第一のインクのブロックイソシアネートと、第二のインクであるＵＶインクの光重合性のオリゴマーやモノマーとが、共有結合を形成する。かかる共有結合によって第一の印刷層と第二の印刷層とが強固に密着することになる。
【０００７】
特に、装飾層は、アンダーコート層を備え、該アンダーコート層の上に第一の印刷層が積層されていることが好ましい。アンダーコート層を介して第一の印刷層を物品の表面に形成できるため、第一の印刷層をムラなく形成でき、その上に形成される第二の印刷層も綺麗に形成できる。また、アンダーコート層と第一の印刷層との水素結合によって両層間の密着性が高まる。
【０００８】
また、第二のインクは、ＵＶインクに第一のインクが混合されたものであることが好ましく、第一の印刷層と第二の印刷層との密着性がより一層高まる。
【０００９】
また、第一の印刷層が第一の模様を構成しており、第二の印刷層が第一の模様とは異なり且つ第一の模様の形成領域内で形成された第二の模様を構成していることが好ましい。第一の印刷層と第二の印刷層が互いに異なる模様を構成していることにより、高い装飾性が得られる。そして、第二の印刷層による第二の模様が第一の印刷層による第一の模様の形成範囲内で形成されているので、第二の印刷層による第二の模様がその外縁部から剥離しにくくなる。
【発明の効果】
【００１０】
以上のように、ブロックイソシアネートを含むインクからなる第一の印刷層とＵＶインクからなる第二の印刷層との境界部分において、ラジカル反応による共有結合が形成されているので、ＵＶインクからなる第二の印刷層の剥離が防止される。
【図面の簡単な説明】
【００１１】
【図１】本発明の一実施形態における装飾層を有する物品の要部断面図。
【図２】同装飾層の要部平面図。
【図３】本発明の他の実施形態における装飾層を有する物品の要部断面図。
【発明を実施するための形態】
【００１２】
以下、本発明の一実施形態に係る装飾層を有する物品について図面を参酌しつつ説明する。本実施形態における物品は、物品本体１の表面に装飾層が形成されたものである。かかる物品は各種の用途に使用される物品であってよく、釣り具や自転車部品として好適である。例えば、釣り具としてはリールの部品や、釣竿の竿本体やリールシート、釣り糸ガイドのガイドフレーム等に適用できる。物品の表面の材質も特には限定されないが、例えば、射出成形による樹脂成形品の装飾として好適であり、繊維強化樹脂からなる成形品の装飾として好適であり、長さが１ｍｍ以下の短繊維が混合されている合成樹脂成形品の装飾として好適である。
【００１３】
＜断面構造＞
図１に本実施形態における装飾層を有する物品の要部断面図を示している。装飾層は、物品本体１の表面に形成されたアンダーコート層２と、該アンダーコート層２の上に形成された第一の印刷層３と、該第一の印刷層３の上に形成された第二の印刷層４とを備えている。尚、図１に二点鎖線で示すように、装飾層を覆うトップコート層５が保護層として形成されることが好ましい。トップコート層５は、エポキシ、ウレタン、アクリル、アクリルシリコン等の透明または半透明の合成樹脂から構成される。トップコート層５は、装飾層の全体を覆うように形成されることが好ましい。尚、各層は単層であってもよいし二層以上の複層であってもよい。
【００１４】
＜アンダーコート層２＞
アンダーコート層２は、ベース塗料からなり、有色であっても無色であってもよく、また透明であっても不透明であってもよい。アンダーコート層２は、各種の塗料からなり、アクリルウレタンやアクリルメラミン、エポキシ系、エステル系等であってよい。
【００１５】
＜第一の印刷層３＞
第一の印刷層３は、第一の模様を構成している。第一の模様は種々の図柄や文字であってよい。図２のように第一の印刷層３の形成領域はアンダーコート層２の形成領域内にあり、従って、第一の印刷層３の形成領域はアンダーコート層２の形成領域よりも小さい面積であって、第一の印刷層３はアンダーコート層２を下地層としてその上に形成されている。尚、第一の印刷層３は一箇所設けられていてもよいし、複数箇所に設けられていてもよい。
【００１６】
第一の印刷層３は、第一のインクからなる。第一のインクは、特にはインクジェット用のインクであって、インクジェット印刷装置によって形成できる。第一のインクは、主剤と硬化剤とを含んでいる。主剤は活性水素を有する化合物で、硬化剤はイソシアネート化合物である。第一のインクは二液型ではなく一液型であり、即ち、ブロック型であって、イソシアネートをブロック剤でマスクしたブロックイソシアネートを有しているものである。ブロックイソシアネートは加熱によってブロック剤が解離してイソシアネート基が再生される。尚、熱ではなく光によってブロック剤が解離するものであってもよい。
【００１７】
インクジェット用のインクは、ブロックイソシアネートとポリオールからなる一液型ポリウレタン樹脂塗料としてよい。ブロックイソシアネートは、各種のイソシアネート化合物に各種のブロック剤を反応して得られたものである。ブロックイソシアネートに用いられる素原料であるイソシアネート化合物は種々のものであってよく、例えば、ジフェニルメタンジイソシアネート（ＭＤＩ）、イソシアン酸メチル（ＭＩＣ）、ヘキサメチレンジイソシアネート（ＨＤＩ）、トルエンジイソシアネート（ＴＤＩ）、イソホロンジイソシアネート（ＩＰＤＩ）等であってよい。
【００１８】
ブロック剤は種々のものであってよく、アルコール類、ε−カプロラクタム、フェノール類、オキシム類、活性メチレン化合物等がある。また、ポリオールは各種のものであってよく、例えば、アクリルポリオール、ポリエステルポリオール、ポリカーボネートポリオール等であってよい。
【００１９】
尚、第一のインクは、溶剤、染料や顔料、分散剤を含んでいる。また、ブロックイソシアネートの他に、ブロック剤でマスクされていない各種のイソシアネートを含有してよい。但し、マスクされていないイソシアネートを含有する場合、そのイソシアネートはブロックイソシアネートよりも少量とされる。
【００２０】
＜第二の印刷層４＞
第二の印刷層４は、第二の模様を構成している。第二の模様は種々の図柄や文字であってよい。第二の模様は第一の模様と同じであってもよいが、本実施形態では互いに異なっている。第二の印刷層４の形成領域は第一の印刷層３の形成領域内にあり、従って、第二の印刷層４の形成領域は第一の印刷層３の形成領域よりも小さい面積である。尚、第二の印刷層４は一箇所設けられていてもよいし、複数箇所に設けられていてもよい。一つの第一の印刷層３の上に第二の印刷層４が一つのみ形成されていてもよいし二つ以上形成されていてもよい。尚、第二の印刷層４の形成領域と第一の印刷層３の形成領域とが同じであってもよい。即ち、第二の印刷層４の外縁部が第一の印刷層３の外縁部と面一であってもよい。何れにしても、第二の印刷層４は第一の印刷層３の外縁部から外側にはみ出さないようにして形成されることが好ましいが、はみ出しても構わない。
【００２１】
第二の印刷層４は、第一のインクとは異なる第二のインクからなる。第二のインクはＵＶインクであり、ＵＶインクは、紫外線を照射することによって硬化し定着する、速硬性に優れたインクである。第二のインクもインクジェット用のインクであることが好ましく、第一の印刷層３と同様にインクジェット印刷装置によって第二の印刷層４を形成できる。ＵＶインクは光重合タイプであってよく、紫外線によって硬化する樹脂を含有している。紫外線硬化型樹脂は、各種のラジカル重合系樹脂であってよく、各種のオリゴマーやモノマーであってよい。オリゴマーとしては、エポキシアクリレート、ウレタンアクリレート、ポリエテルアクリレートが挙げられる。光重合開始剤も各種のものであってよく、ベンゾフェノン系、ベンゾイン系、アセトフェノン系、チオキサントン系、アシルフォスフィンオキサイド系等が挙げられる。尚、ＵＶインクは、これらの光重合性のオリゴマー等と光重合開始剤の他に、顔料や消泡剤等を含む。
【００２２】
＜製造工程＞
例えば、釣竿の竿本体に上記構成の装飾層を形成する工程について説明する。マンドレルにプリプレグを巻回し加熱焼成して竿本体を形成した後、マンドレルから取り外した竿本体を竿保持具で保持しつつその表面にベース塗料を塗布する。塗布後、竿保持具から竿本体を取り外して８０〜１００℃で２０〜３０分加熱して、竿本体の表面にアンダーコート層２を形成する。アンダーコート層２は竿本体の全体に形成することができる。その後、竿本体を竿保持具に装着して、インクジェット印刷装置で第一のインクを竿本体に塗布してアンダーコート層２の上に第一の印刷層３を形成する。その後、竿本体を竿保持具から取り外すことなく引き続いて第一の印刷層３の上にＵＶインクからなる第二のインクをインクジェット印刷装置で塗布し、塗布した第二のインクに紫外線を照射し硬化させて第二の印刷層４を形成する。第二のインクの塗布後に直ちに紫外線を照射することで第二のインクの広がりを防止でき、第二の模様を正確に形成できる。そして、竿保持具から竿本体を取り外して、１００℃以上の高温で２０〜３０分加熱する。尚、その後、トップコート層５を形成してもよい。
【００２３】
一例を挙げて更に詳細に説明する。アンダーコート層２のベース塗料としてウレタン塗料を使用する。アンダーコート層２がウレタン塗料からなる場合、ウレタン結合を有するので下記一般式で表すことができる。
【化１】
0006717655.tif 000002
【００２４】
第一のインクは、ε−カプロラクタムをブロック剤としたブロックイソシアネートと、ポリオール（Ｒ４−ＯＨ）の他に、ブロック型ではないイソシアネート（Ｒ３−ＮＣＯ）を含むものを使用する。ε−カプロラクタムをブロック剤としたブロックイソシアネートは、下記一般式で表されれる。
【化２】
0006717655.tif 000003
【００２５】
第二のインクであるＵＶインクは、下記一般式で表されるＵＶ硬化樹脂を含んでいる。
【化３】
0006717655.tif 000004
【００２６】
紫外線を照射すると、光重合開始剤が開裂によってラジカルが発生してラジカル重合が開始され、第二のインクが硬化する。その際、ＵＶ硬化樹脂は下記一般式で表されるようにラジカルに変換して活性化した状態となる。
【化４】
0006717655.tif 000005
【００２７】
紫外線が照射されると、第一の印刷層３と第二の印刷層４との間の境界部分において、第一のインク中の未反応のブロックイソシアネートと第二のインク中の活性化したＵＶ硬化樹脂とがラジカル反応して、下記一般式で表される共有結合が形成される。
【化５】
0006717655.tif 000006
【００２８】
その後、上述のように加熱することで、第一のインク中のブロックイソシアネートにおいてブロック剤が解離してイソシアネートが再生し、その再生したイソシアネートと第一のインク中のポリオールとが反応して、第一のインクが硬化する。尚、上述のようにラジカル反応したブロックイソシアネートは、この加熱によっては反応せずブロック剤は解離しない。従って、ＵＶ照射の後に加熱しても、第一の印刷層３と第二の印刷層４との間の境界部分における上記共有結合は維持される。また、アンダーコート層２と第一の印刷層３との間の境界部分においては、下記一般式のように水素結合が形成されることになる。
【化６】
0006717655.tif 000007
【００２９】
以上のように、表面に装飾層が形成された竿本体にあっては、アンダーコート層２の上に第一の印刷層３が積層されて第一の模様が形成されているので、第一の印刷層３による第一の模様がムラなく形成されると共に、その上に形成される第二の印刷層４による第二の模様も綺麗に形成される。そして、第二の模様がＵＶインクによって形成されているので、立体感のある装飾が得られて高級感のある釣竿となる。
【００３０】
特に、第一の印刷層３による第一の模様とその上に形成された第二の印刷層４による第二の模様とが互いに異なる模様となっているので、高い装飾性が得られる。
【００３１】
そして、第一の印刷層３と第二の印刷層４との境界部分においては、ラジカル反応による共有結合が形成されているので、第一の印刷層３と第二の印刷層４との密着性が高く、ＵＶインクからなる第二の印刷層４の剥離が防止される。従って、ＵＶインクによる立体感のある装飾が剥離することなく維持される。特に、第二の印刷層４による第二の模様が第一の印刷層３による第一の模様の形成範囲内に形成されているので、第二の印刷層４による第二の模様がその外縁部から剥離しにくくなる。また、アンダーコート層２と第一の印刷層３との間に水素結合が形成されているので、両層間の密着性も高い。
【００３２】
尚、ＵＶインクに第一のインクを所定量混合してもよい。即ち、ＵＶインクに第一のインクを所定量混合したものを第二のインクとしてもよい。ＵＶインクに第一のインクを所定量（例えば数％〜２０％）混合させると、第一の印刷層３と第二の印刷層４との間の境界部分における共有結合がより一層確実に形成されることになって、第一の印刷層３と第二の印刷層４との間の密着性をより一層高めることができる。
【００３３】
また、上記実施形態では、第二の印刷層４による第二の模様が第一の印刷層３による第一の模様から外側にはみ出さないように第一の模様よりも小さい面積とされていたが、これには限られず、例えば、図３のように第二の印刷層４による第二の模様の外縁部が第一の印刷層３による第一の模様の外縁部と部分的にあるいは全体に亘って平面視において一致していてもよい。第二の印刷層４による第二の模様の外縁部と第一の印刷層３による第一の模様の外縁部とが全体に亘って一致している場合には、第二の模様と第一の模様の面積は同じとなり、従って、第二の模様は第一の模様と同じ模様となるが、それであってもよく、第二の印刷層４が第一の印刷層３の形成範囲内であれば、第二の印刷層４の外縁部における剥離を防止できる。但し、第二の印刷層４の外縁部が第一の印刷層３の外縁部から部分的にあるいは全体として外側にはみ出す形態であってもよい。
【符号の説明】
【００３４】
１    物品本体
２    アンダーコート層
３    第一の印刷層
４    第二の印刷層
５    トップコート層
【図１】
0006717655.tif 000008
【図２】
0006717655.tif 000009
【図３】
0006717655.tif 000010